(57)【要約】      （修正有）【課題】天然芝と擬似芝体とが混在する混生芝生で、擬似芝体が浅い埋め込み深さで植付けられても、脱抜しにくい混生芝生を提供するとともに、その混生芝生の造成方法を提供すること。【解決手段】天然芝と擬似芝体１を混在させた混生芝生であって、地面に形成された溝と、溝に埋設され、長手方向で折り曲げられた合成樹脂からなる芝糸体２ｂと、を有し芝糸体２ｂの両端が地上に露出している。人工の疑似芝葉を地中深く差し込むことなく脱抜しにくい疑似芝葉の差し込みが可能であり、天然芝の植生が存在する既設のグラウンドに対しても、そのまま上から簡易に改良することができる。【選択図】図１
2017210765.tif 000002
【特許請求の範囲】
【請求項１】
天然芝と擬似芝体を混在させた混生芝生であって、
地面に形成された溝と、
前記溝に埋設され、長手方向で折り曲げられた合成樹脂からなる芝糸体と、
を有し芝糸体の両端が地上に露出していることを特徴とする混生芝生。
【請求項２】
擬似芝体が可撓材を備え、可撓材は、芝糸体の長手方向の中間部で接続し、
芝糸体と共に地中に埋設されていることを特徴とする請求項１記載の混生芝生。
【請求項３】
天然芝と擬似芝体を混在させた混生芝生であって、
地面に形成された多数の溝と、
前記溝に連続的に埋設される可撓材による帯状体であって、長手方向で折り曲げられた合成樹脂からなる複数の芝糸体が接続された帯状体とを有し、
前記芝糸体と帯状体の接続部は、帯状体の長手方向に沿って、間歇的に形成されており、芝糸体の両端が地上に露出していることを特徴とする混生芝生。
【請求項４】
可撓材が帯状体であり、芝糸体の長手方向が、帯状体の長手方向に対して、交差する方向に配置された請求項２または３記載の混生芝生。
【請求項５】
可撓材及び／又は芝糸体には、抗菌剤及び／又は防カビ剤が含有される請求項２から４のいずれかに記載の混生芝生。
【請求項６】
天然芝と擬似芝体を混在させた混生芝生の造成方法であって、
合成樹脂からなる芝糸体またはその原糸となる芝糸が
可撓性を有する帯状体と
間歇的に帯状体の長手方向に対して交差する状態に接続した芝差込基材を作成し、
地面に溝を掘り、
前記芝差込基材を帯状体の長手方向に沿って折り曲げて、
前記溝に対して連続して植え付けられることで
擬似芝体が形成されることを特徴とする混生芝生の造成方法。
【請求項７】
天然芝が植生された地面に溝を掘って芝差込基材を植え付ける請求項６記載の混生芝生の造成方法。
【請求項８】
芝糸と帯状体が接続した芝差込基材を用い、
溝に対して植え付けた後、芝糸を切断して擬似芝体を形成する請求項６または７記載の混生芝生の造成方法。
【請求項９】
合成樹脂からなる芝糸体またはその原糸となる芝糸が、
可撓性を有する帯状体と間歇的に帯状体の長手方向に対して交差する状態に接続してなる
天然芝と擬似芝体を混在させた混生芝生の造成に用いるための芝差込基材。
【発明の詳細な説明】
【技術分野】
【０００１】
本発明は、天然芝と擬似芝体とを混在させた芝生、その造成方法及びこれに用いる基材に関するものである。
【背景技術】
【０００２】
天然芝と人工芝とを混在させた混生芝生は、天然芝の持つクッション性と人工芝の持つ耐久性とを兼備えている。このような混生芝生の施工方法について、例えば、特許文献１には、上下の基布の間に天然芝の種子を設け、これらの基布を貫通するように人工芝を施工し、これを施工対象の地表面に敷設する施工方法を提案している。
【０００３】
一方、文部科学省では平成９年より「環境を考慮した学校施設（エコスクール）の整備推進」として環境を考慮した学校施設の整備が計画されており、各種の学校施設の中で学校校庭について芝生化が対象とされ補助が行われている。これに伴い天然芝生を敷設した学校が増えてきた。ところが、生徒達が激しくスポーツや遊びをすると芝生は傷み、また管理が適当にされないと、芝生はすり切れて荒廃してしまう。
【先行技術文献】
【特許文献】
【０００４】
【特許文献１】特開２００１−２１４４０７号公報
【発明の概要】
【発明が解決しようとする課題】
【０００５】
特許文献１の技術は、芝生を新たに敷設する場合を対象としており、既に天然芝が敷設されている地表面に対しては、施行が難しい。一方、多数のピンに装填した人工繊維を地中に突き立ててピンを抜き取り、人工繊維を地中に植え付ける差し込み施工による方法が、ベルギーのデッソスポーツシステム社により提供され、海外のサッカー場、ラグビー場で施工されているとされている。この技術は、ハイブリッドグラス（ｈｙｂｒｉｄ  ｇｒａｓｓ）と呼ばれており、人工繊維が地面の３％を覆う混生芝生である。天然芝が成長すれば、根が人工繊維と絡み合うとされている。
【０００６】
ハイブリッドグラスの技術によれば、人工繊維は天然芝の上から施工可能であるが、我が国の既存のグラウンドに施工する多くの場合至難の工事であり、天然芝そのままに上から施工することは、殆んど不可能である。この技術では、人工繊維の脱落防止のために地中２０ｃｍの深さまで差し込みその深さによる摩擦抵抗によって抜けることを防ぐものとしているが、その深さに施工上の問題がある。我が国の既存のグラウンドは、人工繊維の差し込みを想定して地中の深い位置を柔らかい状態としておらず、既設のグラウンドでは実際面で至難の工事となる。
【０００７】
本発明は、上記した実情に基づき、天然芝と擬似芝体とが混在する混生芝生で、擬似芝体が浅い埋め込み深さで植付けられても、脱抜しにくい混生芝生を提供するとともに、その混生芝生の造成方法を提供することを目的とする。
【課題を解決するための手段】
【０００８】
本発明は、混生芝生の検討結果から得られた知見、すなわち混生芝生の擬似芝体は合成樹脂からなる芝糸体を用い、その芝糸体は長手方向で折り曲げられて埋設されていることが好適である、との知見に基づいてなされたものである。
【０００９】
すなわち、本発明は以下の通りである。
【００１０】
（１）天然芝と擬似芝体を混在させた混生芝生であって、地面に形成された溝と、前記溝に埋設され、長手方向で折り曲げられた合成樹脂からなる芝糸体と、を有し芝糸体の両端が地上に露出していることを特徴とする混生芝生。
（２）擬似芝体が可撓材を備え、可撓材は、芝糸体の長手方向の中間部で接続し、芝糸体と共に地中に埋設されていることを特徴とする上記（１）記載の混生芝生。
（３）天然芝と擬似芝体を混在させた混生芝生であって、地面に形成された多数の溝と、前記溝に連続的に埋設される可撓材による帯状体であって、長手方向で折り曲げられた合成樹脂からなる複数の芝糸体が接続された帯状体とを有し、前記芝糸体と帯状体の接続部は、帯状体の長手方向に沿って、間歇的に形成されており、芝糸体の両端が地上に露出していることを特徴とする混生芝生。
（４）可撓材が帯状体であり、芝糸体の長手方向が、帯状体の長手方向に対して、交差する方向に配置された上記（２）または（３）記載の混生芝生。
（５）可撓材及び／又は芝糸体には、抗菌剤及び／又は防カビ剤が含有される上記（２）から（４）のいずれかに記載の混生芝生。
（６）天然芝と擬似芝体を混在させた混生芝生の造成方法であって、合成樹脂からなる任意の長さを有する芝糸体またはその原糸となる芝糸が可撓性を有する帯状体と間歇的に帯状体の長手方向に対して交差する状態に接続した芝差込基材を作成し、地面に溝を掘り、前記芝差込基材を帯状体の長手方向に沿って折り曲げて、前記溝に対して連続して植え付けられることで擬似芝体が形成されることを特徴とする混生芝生の造成方法。
（７）天然芝が植生された地面に溝を掘って芝差込基材を植え付ける上記（６）記載の混生芝生の造成方法。
（８）芝糸と帯状体が接続した芝差込基材を用い、溝に対して植え付けた後、芝糸を切断して擬似芝体を形成する上記（６）または（７）記載の混生芝生の造成方法。
（９）合成樹脂からなる任意の長さを有する芝糸体またはその原糸となる芝糸が、可撓性を有する帯状体と間歇的に帯状体の長手方向に対して交差する状態に接続してなる
天然芝と擬似芝体を混在させた混生芝生の造成に用いるための芝差込基材。
【発明の効果】
【００１１】
本発明によれば、疑似芝体が地中深く差し込まれていなくても脱抜しにくい混生芝生が得られ、特に、天然芝の植生が存在する既設のグラウンドに対しても、そのまま上から簡易に植え付けることができる。
【図面の簡単な説明】
【００１２】
【図１】本発明の擬似芝体を示す図である。
【図２】本発明の芝差込基材を示す図である。
【図３】擬似芝体の施工装置を示す図である。
【図４】擬似芝体と天然芝が混在した混生芝生の図である。
【図５】天然芝の植生に対して、疑似芝体を施工した様子を示す図である。
【発明を実施するための形態】
【００１３】
本発明は、天然芝２０と擬似芝体１とが混在する混生芝生であり、本発明の擬似芝体１は、図１に示すように、合成樹脂からなる任意の長さを有する芝糸体２ｂが長手方向で折り曲げられて地面に形成された溝をもって地中に埋設され、芝糸体の両端が地上に露出している。地上に露出した芝糸体２ｂは芝を模した外観を示す。この外観は、本発明では特にイネ科の植物に近い外観を呈すことが望まれる。
【００１４】
本発明の芝糸体２ｂは任意の長さを有するもので、その長さは、地中に埋設する長さ及び地上で露出する長さを考慮して選択される。本発明では、芝糸体２ｂは折り曲げられて埋設されるために、その長さとしては４〜６０ｃｍの長さであることが好ましく、造成時の取り回し等を考慮すれば、２０〜５０ｃｍの長さであることがより好ましい。
【００１５】
本発明の芝糸体２ｂは、合成樹脂からなるもので、例えばポリオレフィン、ポリエステル、ポリアミド、ポリ塩化ビニリデン等が使用可能である。本発明の擬似芝体１は、地中に直接埋め込まれる観点で加水分解しにくいことが好ましく、天然芝２０と混在させる場合に天然芝２０の生育に薬品が使用される可能性を考慮すると耐薬品性に優れたものが好ましいことから、かかる合成樹脂としては、ポリエチレン又はポリプロピレンが好ましい。また、本発明では芝糸体２ｂが折り曲げられた状態で地中に埋設され、踏みつけられたときには硬い石や砂との摩擦が生じるために、ある程度柔軟であることや、屈曲や座屈に対する摩耗に強いことも望まれる。これらの観点では、ポリエチレンであることがより好適である。
【００１６】
本発明の芝糸体２ｂは、任意の方法で製造され、金型を用いて予め任意の長さに揃えて作成したものでもよいが、この芝糸体２ｂがある程度長い長さを要する観点では、長尺の原糸、すなわち芝糸２ａを切断して作成する方が望ましい。芝糸２ａから芝糸体２ｂを作成する場合、植え付ける前に予め芝糸２ａを切断しなくても、芝糸２ａのまま植え付けた後にこれを切断することで、芝糸体２ｂとすることもできる。また、本発明では芝糸体２ｂに、イネ科の植物に近い外観及び触感を考慮した上で、硬い石や砂との摩擦に対する耐性を持たせようとするならば、延伸により強度が高められたものであることが好ましく、１本の延伸糸又は複数本の延伸糸を束ねたものを芝糸２ａとし、芝糸体２ｂを作成することが好ましい。特に、複数本の延伸糸を束ねた芝糸２ａとすれば、地中で土との接触面積が増え摩擦が生じやすくなる上に、天然芝２０との混生芝生としたとき、芝糸体２ｂ内に天然芝の根が絡みやすくなり脱抜しにくくなる。束ねる本数は適宜選択されるが、２〜５０本であることが好ましい。
【００１７】
上記延伸糸の形態としては、特に制限されるものではないが、よりイネ科の植物に近い外観及び触感を得ようとする観点では、合成樹脂フィルムを細断及び延伸して得られるフラットヤーン、或いは円形または異形の断面形状を有する口金から合成樹脂を押出した線状体を延伸して得られるモノフィラメントが好適といえる。これらは１種類のみで構成する必要はなく、２種類以上を束ねてもよい。また、これら延伸糸には撚糸加工、捲縮加工、開繊加工等の加工を適宜行ってもよい。
【００１８】
上記芝糸２ａの繊度は特に限定されないが、地上に露出する芝糸体２ｂを大きく見せ、別の芝糸体２ｂとの距離を広く取れるようにする方が、擬似芝体１の脱抜に対し有利である観点では、芝糸２ａの繊度は２，０００ｄｔ以上であることが好ましく、２００，０００ｄｔまであってもよい。芝糸体２ｂの折り曲げやすさ等の取り回しを考慮すれば、芝糸２ａの繊度の範囲は１０，０００〜５０，０００ｄｔであることがより好適である。なお、芝糸２ａを延伸糸で構成する場合、個々の延伸糸の糸幅は、芝を模した外観の観点で決めればよく、その糸幅としては０．５〜５０ｍｍであることが好ましい。本発明の芝糸２ａを延伸糸で構成する場合、個々の延伸糸の厚みは３０〜１，０００μｍであることが好ましく、摩擦に対する耐性を考慮すると、８０μｍ以上であることがより好ましく、１２０μｍ以上であることが特に好ましい。本発明では芝糸体２ｂが折り曲げて使用されることや、芝に近い触感を考慮すると５００μｍ以下であることがより好ましい。
【００１９】
本発明の擬似芝体１は、芝糸体２ｂの両端の一部が地上に露出する状態で、芝糸体２ｂが折り曲げられた状態で、地中に埋設されている。芝糸体２ｂが折り曲げられた状態であることで、芝糸体２ｂが真っ直ぐ植付けられるよりも土との接触部分が多く複雑に摩擦抵抗が生じるため、擬似芝体１を浅く植付けても脱抜しにくい。また、天然芝２０と混在させることで、天然芝２０の根が折り曲げられた部分に絡みやすいことでも脱抜しにくい構造になっている。本発明では、芝糸体２ｂは２〜１５ｃｍの深さで埋設されていればよく、５〜１０ｃｍの深さで埋設されることがより好ましい。地上に露出する芝糸体２ｂの長さは、１〜１０ｃｍの長さであることが好ましく、直立性、復元性を考慮すれば２〜８ｃｍの長さとすることがより好ましい。なお、この露出する芝糸体２ｂの長さは一端当たりの長さである。
【００２０】
本発明の芝糸体２ｂは、図１に示すように、可撓材３に接続させることができる。可撓材３は、芝糸体２ｂと共に、地中に埋め込まれるもので、可撓性を有する材料からなるものであれば、糸、紐、シート、成形体いずれの形態であっても構わない。可撓材３はある程度の大きさと柔軟性を有するものが有利で、芝糸体２ｂと共に地中に埋め込む上では、広範囲に掘り返さなくても埋め込むことができるものが好ましい観点から、織物、編物、不織布、フィルム等のシート状をなすものが好ましい。シート状をなすものであれば、芝糸体２ｂと共に折り曲げることでコンパクトに埋め込むことができる。この可撓材３は、芝糸体２ｂの長手方向の中間部で芝糸体２ｂと接続する。この中間部とは、芝糸体２ｂの長手方向の中間付近であり、地中に埋設される部分になる。可撓材３と芝糸体２ｂとを接続させる方法は、粘着テープでの接着、熱接着、ミシン等での縫い付け、織機での織り付け、編機での編み付け等が挙げられ、これらはいずれであってもよいが、使用する芝糸の繊度が比較的大きいこと、可撓材３と芝糸体２ｂとの接続力が強いことが好ましい観点で、縫い付け又は編み付けによって接続していることが好ましく、縫い付けて接続させる方が芝糸体２ｂや可撓材３の構造に制約が少なく、その機能を発揮しやすい。可撓材３と芝糸体２ｂとの連結を確実にするため、可撓材３は２枚で構成して芝糸体２ｂを挟み込むように連結してもよい。
【００２１】
上記可撓材３は、主に、混生芝生に対する踏み込み、引き抜き、蹴り上げ等によって、擬似芝体１の上方に向かって掛かる力が生じたときに、この力に抵抗するアンカー材としての役目を持つ。本発明では芝糸体２ｂに対し、天然芝２０の根が成長し、十分に絡みつくまでの間はこれら上方に向かって掛かる力に対する抵抗が十分でない可能性があり、可撓材３はこの間の抵抗力を補う。可撓材３は芝糸体２ｂと連結した状態で、地中に埋設されているため、芝糸体２ｂに対し上方に向かう力が掛かると、可撓材３がアンカー材になり、これに対抗することができる。特に、芝糸体２ｂと共に折り曲げられて地中に埋め込まれている場合、可撓材３と地中の土との間で摩擦が生じる他、可撓材３を覆う土や砂によって可撓材３が歪な形に変形することでも抵抗し、芝糸体２ｂに対し上方に向かう力が掛かるほど、この変形が大きくなるため、効果的に抵抗力を発揮し、擬似芝体１の脱抜を防ぐ。芝糸体２ｂを可撓材３と共に折り曲げる場合、可撓材３によって芝糸体２ｂの周囲が包まれるように折り曲げられていることが好ましく、その方が、芝糸体２ｂを折り曲げた間に可撓材３が挟まれている状態よりも芝糸体２ｂが変形しやすいため、抵抗を生み出しやすい。
【００２２】
上記可撓材３は可撓性を有するものであれば、材料や構造は特に制約されるものではないが、シート状をなすものが好ましく、フィルムよりも、繊維を含む織物、編物又は不織布であることが特に好ましい。その理由としては、凹凸を有することで土や砂が入り込みやすく抵抗を生みやすいこと、芝糸体２ｂと接続した際の接続力が繊維を有するものの方が優れていること、さらには、繊維を含有することで吸水性材料になることが挙げられる。吸水性材料の可撓材３が天然芝２０と混在する場合、可撓材３が水分を担持することで、天然芝２０の根を乾燥から守ることができ、天然芝の根が可撓材３に対しても広がることで、天然芝２０の根が可撓材３や芝糸体２ｂの折り曲げられた部分に絡みやすくなるため、芝糸体２ｂの引き抜きに対し、強い抵抗を示すことになる。可撓材３の材料は、ポリエチレン、ポリプロピレン、ポリエステル、ナイロン等の合成樹脂であってもよいが、材料自体の吸水性が高いことが好適であり、天然芝の根が十分に張れば、可撓材３は消失しても構わない観点では、生分解性を有する材料であってよく、レーヨン、綿、麻等のセルロース系材料であることが好ましい。
【００２３】
上記可撓材３は、可撓材３を帯状体で構成することができ、一枚の帯状体に複数の芝糸体２ｂを接続させることができる。これにより、列状に、容易にかつ連続して擬似芝体１を形成することができ、列内の隣り合う別の芝糸体２ｂの間に可撓材３が配置されることで可撓材３が埋設される領域が増え、擬似芝体１の脱抜に対する抵抗力が高くなる。さらには、天然芝２０の植生に間隔を空けて複数列植え込んだ場合には、天然芝２０の植生が帯状体によって仕切られることになり、天然芝２０の生育のムラが少なくなる効果や、天然芝２０の根が可撓材３に絡みやすくなることでの天然芝２０も剥がれにくくなる効果が期待できる。
【００２４】
可撓材３を帯状体とし、一枚の帯状体３に複数の芝糸体２ｂを接続させる場合、その芝糸体２ｂと帯状体３の接続部は、帯状体３の長手方向に沿って、間歇的に形成されていることが好ましい。芝糸体２ｂの長手方向の中間部と帯状体の可撓材３が所定間隔を空けて帯状体の長手方向で接続していれば、芝糸体２ｂが地上に露出する間隔が一定の間隔に定まる。帯状体の長手方向の接続部４の間隔は２〜１５ｃｍの範囲にあることが好ましい。このとき、芝糸体２ｂの長手方向を、帯状体の長手方向に対して、交差する方向に配置しておくことで、可撓材３である帯状体を折り曲げると同時に芝糸体２ｂを折り曲げることもできる。
【００２５】
帯状体に接続した芝糸体２ｂを帯状体の長手方向に沿って折り曲げ、芝状体２ｂの一部を地上に露出させるためには、帯状体から芝状体２ｂがはみ出た状態になっていることが好ましい。そのため、帯状体の幅は、芝糸体２ｂの長さよりも狭い幅のものを用いることが好ましく、帯状体の幅は２０ｃｍ以下であることがより好ましい。また、アンカー材としての役目を果たす観点では、帯状体の幅は芝糸体２ｂの厚みよりも広い幅をなすものを用いることが好ましく、０．２ｃｍ以上あればよいといえるが、帯状体を芝糸体２ｂと共に折り曲げる場合、細すぎると折り曲げにくいため２ｃｍより大きいことが好ましい。
【００２６】
上記から、本発明で、列状に、容易にかつ連続して擬似芝体１を形成する方法を考慮すると、予め、芝糸２ａ又は芝糸体２ｂが、可撓性を有する帯状体と、間歇的に帯状体の長手方向に対して交差し、接続した状態とした芝差込基材５を作成しておくことが好ましく、この芝差込基材５を帯状体の長手方向に沿って折り曲げ、地面に掘った溝に差し込んでいく方法で擬似芝体１を形成していくことが好ましいと考えられる。なお、芝差込基材５を作成するときに、芝糸体２ｂの原糸となる芝糸２ａを用いて帯状体と接続した場合、地面に差し込んだ後に、芝刈り機等を用いて地上に露出した芝糸２ａの一部を切断してもよい。
【００２７】
本発明で擬似芝体１を形成するときの溝の深さは、芝糸体２ｂを埋設する深さをもって選択され、２〜１５ｃｍ程度の深さでよく、より好適には５〜１０ｃｍの深さで掘られることが好ましい。擬似芝体１は芝糸体２ｂが折り曲げられた状態で形成され、広範囲に掘り返す必要はなく、細い溝を掘るだけでよい。当該溝の幅としては３〜３０ｍｍの範囲で形成されればよい。
【００２８】
本発明の芝糸２ａをなす延伸糸や可撓材３には、本発明の効果を阻害しない範囲で、着色剤、光安定剤、紫外線吸収剤、酸化防止剤、抗菌剤、防カビ剤、分散剤、滑剤、帯電防止剤、無機充填剤、架橋剤、発泡剤、核剤、難燃剤等の添加剤を含ませることができる。当該添加剤は、効果をより持続させる観点では、これらを製造する段階で練り込んでおくことが好ましいが、塗布や染色する方法で含ませることもできる。
【００２９】
上記添加剤は、主に、芝を模した外観を得るため、含有させたもの自身の耐久性を高めるために、利用されるものであるが、天然芝２０と擬似芝体１が混在した混生芝生では、特に可撓材３及び／又は芝糸体２ｂに抗菌剤及び／又は防カビ剤を含有させておくことで、根腐病などの伝播を防ぎ、病気発症の防除、又は天然芝２０の病気予防に利用できる。抗菌剤及び／又は防カビ剤としては、様々なものが知られているが、地中に埋めて長期に効果を発する観点では、無機物であることが好ましく、特に金属イオン系のものが好適であるといえる。その一例として銀が挙げられる。銀は農薬ではないが抗ウィルス抗菌性を有するだけでなく、防カビ剤としても機能することが知られており、芝に付くカビに対しても効果が期待できる。特に、可撓材３を帯状体とし、一枚の帯状体に複数の芝糸体２ｂを接続させ、天然芝２０の植生に対し、間隔を空けて複数列植え込んだ場合には、天然芝２０を小領域に分割することで、抗菌壁の機能を発揮して、小領域から隣接する小領域への病気の伝播を効果的に防ぐことができる。
【００３０】
金属イオン系抗菌・防カビ剤としては、金属イオンによるものと光触媒によるものが知られており、銀の代わりにいずれか１つ或いは複数種の金属を加えてもよい。例えば、金属イオンによる抗菌・防カビ剤として、銀以外に、銅、亜鉛等の金属イオンによるものがあり、これらは細菌、カビの細胞内部に入り込み、殺菌作用を発揮すると考えられている。また、光触媒による抗菌・防カビ剤として酸化チタンによるものがあり、紫外線が当ると水や酸素などと反応し、活性酸素を生成し強力な酸化力によって、細菌やカビの増殖を止めることが知られている。
【００３１】
本発明の天然芝２０と擬似芝体１の混生芝生では、本発明の擬似芝体１を天然芝２０が植生される前のグラウンドに予め形成しておくことでも構わないし、擬似芝体１と天然芝２０と同時に形成することもできるが、擬似芝体１を深く埋め込む必要がなく、掘り返す地表面も狭い領域でよいため、既に形成された天然芝２０の植生に対しても無理なく形成できる。そのため、本発明の天然芝２０と擬似芝体１の混生芝生では、地上に露出する天然芝２０と擬似芝体１の割合として天然芝２０の方が多く露出するものに対し、適用しやすいと言える。混生芝生において、踏圧は斜め上方からかかり、表面の芝をはがされないためには、上方に対して掛かる力に対し、脱抜しにくいことが要求される。本発明の擬似芝体１は、構造上、上方に対して掛かる力に対する抵抗が強いため、擬似芝体１は脱抜しにくい。擬似芝体１が脱抜しなければ既存の天然芝２０の保護など、その目的は達成できる。
【実施例】
【００３２】
以下、図面及び実施例を用いて、より具体的に本発明の天然芝２０と擬似芝体１を混在させた混生芝生及びその造成方法を説明する。
【００３３】
図２は、芝差込基材５を示している。延伸糸として、ポリエチレンからなる扁平断面モノフィラメント（繊度２,５００ｄｔ、糸厚み３００μｍ、糸幅１ｍｍ）を用意し、１２本を束ね、これを撚り合わせたものを芝糸２ａとした。延伸糸は予め着色剤や光安定剤などの他、銀系抗菌剤を添加されたものであった。次いで、表面に銀系抗菌剤を塗布したレーヨンからなる不織布を用意し、幅５ｃｍ、長さ２０ｍの帯状体とし、これを可撓材３とした。その後、図２Ａに示すように、芝糸２ａを振幅ｙが１５ｃｍの波状に配置し、波の山部分に配置されたフックで固定し、波の中心線ｃに位置する箇所に、帯状体（可撓材３）を配置し、帯状体の幅中央部を長手方向に沿って、ミシン糸で縫い付けることで、可撓材３と芝糸２ａを接続した。図２Ｂに示すように、接続後、波の山部分を切断し、複数の芝状体を一枚の帯状体（可撓材３）に接続させた状態とし、これを芝差込基材５とし、心材によって巻き取った。この芝糸体２ｂの長さは約３０ｃｍであった。接続部４は、帯状体の長手方向に沿って、間歇的に形成されていた。接続部４の間隔ｄは約３ｃｍであった。
【００３４】
図３は、疑似芝体１の施工装置１０を示している。図３Ａにおいて、施工装置１０は天然芝２０の匍匐茎２１を切り込む円板状の切断刃１１と、切断刃１１が切り込んだ溝をさらに深くかつ土砂を跳ね上げる円板状のすくい刃１２と、芝差込基材５を送り出すローラー１３と、芝差込基材５を溝ｍに押し込む円板状の押し込み転輪１４と、溝ｍを埋める円筒ブラシ１５とを有している。切断刃１１、すくい刃１２、押し込み転輪１４は、この順にかつ一列に並んで配置され、順番に地表の同一箇所を通過するようになっている。円筒ブラシ１５は、その位置の周囲を含めてブラシする。
【００３５】
図３Ｂは、施工装置１０の動作を示している。施工装置１０の進行方向を図中において左方向とすると、切断刃１１が反時計回りに回転して３〜４ｃｍ深さまで切り込む。切断刃１１が切り込む過程で、地表及び地表近くを這い、かつ切断刃１１を横切る天然芝２０の匍匐茎２１を切断する。続くすくい刃１２は時計回りに回転することにより、土砂を跳ね上げて１０ｃｍの深さ、幅５ｍｍの溝を彫り込む。押し込み転輪１４は、ローラー１３から送り出された芝差込基材５の帯状体（可撓材３）に対してその中央部を当接し、施工装置１０の進行速度に対して周速が一致するように反時計方向に回転して、芝差込基材５を溝ｍに連続的に押し込んでゆく。最後に円筒ブラシ１５が、時計方向に回転し、すくい刃１２がすくい上げた土砂を溝ｍの中に落としてゆく。
【００３６】
図４は、本実施例により施工された擬似芝体１と天然芝２０が混生した混生芝生を示している。複数の芝差込基材５が等間隔に平行に差し込まれており、面を形成している。芝差込基材５は中心線ｃにおいて折り返して地中に差し込まれており、芝糸体２ｂが地表に２本ずつ離散的に出現する。芝糸体２ｂの長さは３０ｃｍであり、差し込み時の誤差を含めて、地上部は長くて６ｃｍ程度出現している。地上部の長さは、差し込みの後に、芝刈り機により調整できた。本実施例では、なお、隣り合って平行に差し込まれている芝差込基材５の間隔Ｄは、１０ｃｍである。
【００３７】
図５は、天然芝２０の植生に対して、擬似芝体１を施工した様子を示している。天然芝２０に対して、複数列平行に溝を切り込む（図５Ａ）。芝差込基材を溝に押し込む（図５Ｂ）、芝刈り機により地上部の長さを揃えた（図５Ｃ）。
【００３８】
本実施例によれば、無理のない施工方法での混生芝生の植付が可能であり、既設のグラウンドをそのまま上から簡易に改良することもできる。２０ｃｍの深さまで達するのは困難であるが、国内の典型的なグラウンドでは深さ１０ｃｍならば既存の芝の上から施工することが可能である。尚、上記実施例においては既設の天然芝の植生の地面に対して溝を形成したが、これに限らず、グラウンドに溝を形成し、芝差込基材を差し込み、その後このグラウンドに天然芝が種若しくは解された匍匐茎が植えられて、混生芝生としても良い。
【符号の説明】
【００３９】
１  擬似芝体
２ａ  芝糸
２ｂ  芝糸体
３  可撓材（帯状体）
４  接続部
５  芝差込基材
１０  施工装置
１１  切断刃
１２  すくい刃
１３  ローラー
１４  押し込み転輪
１５  円筒ブラシ
【図１】
2017210765.tif 000003
【図２】
2017210765.tif 000004
【図３】
2017210765.tif 000005
【図４】
2017210765.tif 000006
【図５】
2017210765.tif 000007